(57)【要約】【課題】  石材、コンクリートなどを切断するためのワイヤーソーで、接続部を編み込んだタイプのワイヤーソーであっても、切断中にビーズにかかる抵抗でビーズがずれることを防止でき、切断中の振れが少ないワイヤーソーを提供する。【解決手段】  円筒状の台金の外周に超砥粒層が設けられた複数のビーズが、ワイヤーロープに挿通され、被覆部材にて前記ワイヤーロープに接合固定されたワイヤーソーで、編み込みによる接続部を含めたビーズ間にコイルバネを設け、少なくとも一部分のコイルバネはビーズ間の距離よりも短い長さのものとする。コイルバネの長さは、前記ビーズ間の距離の３０〜７０％とするのが好ましい。また、コイルバネの代わりに保持部材をかしめたものを設けても良い。【選択図】      図１
2006346851.tif 000002
【特許請求の範囲】
【請求項１】
円筒状の台金の外周に超砥粒層が設けられた複数のビーズが、ワイヤーロープに挿通され、被覆部材にて前記ワイヤーロープに接合固定されたワイヤーソーであって、
お互いに隣接するビーズの間のすべての部分にはコイルバネが設けられ、前記ワイヤーソーの両端部は、前記ワイヤーロープを編み込んでエンドレスに接続されるとともに、前記ワイヤーロープを編み込んだ接続部にもビーズが被覆部材にて接合固定され、
前記接続部を含むワイヤーソー全体または一部分にわたって設けられた前記コイルバネは、前記ビーズ間の距離よりも短い長さのコイルバネであり、前記ビーズの進行方向後側に近接して設けられていることを特徴とするワイヤーソー。
【請求項２】
前記ビーズの後端部の少なくとも一部分と、前記ビーズの後側に設けられた前記コイルバネの前端部の少なくとも一部分とは直接接しているか、あるいは前記ビーズの後端部と前記コイルバネの前端部との間の距離は２ｍｍ以下でその間の部分には被覆部材が設けられていることを特徴とする請求項１に記載のワイヤーソー。
【請求項３】
前記コイルバネの長さは、前記ビーズ間の距離の３０〜７０％であることを特徴とする請求項２に記載のワイヤーソー。
【請求項４】
前記コイルバネの進行方向後側の前記被覆部材には、第１の凹部が形成されていることを特徴とする請求項１〜３のいずれかに記載のワイヤーソー。
【請求項５】
前記コイルバネの外周側の被覆部材には、周方向において断続的に形成された第２の凹部を有することを特徴とする請求項１〜４のいずれかに記載のワイヤーソー。
【請求項６】
前記第２の凹部は、ワイヤーソーの回転方向と略平行に細長く伸びる形状であることを特徴とする請求項５に記載のワイヤーソー。
【請求項７】
円筒状の台金の外周に超砥粒層が設けられた複数のビーズが、ワイヤーロープに挿通され、被覆部材にて前記ワイヤーロープに接合固定されたワイヤーソーであって、
前記ワイヤーソーの両端部は、前記ワイヤーロープを編み込んでエンドレスに接続されるとともに、前記ワイヤーロープを編み込んだ接続部にもビーズが被覆部材にて接合固定され、
前記接続部を含むワイヤーソー全体にわたり、ビーズ間には前記ビーズ間の距離よりも短くかつ前記ワイヤーロープの直径以下の長さの保持部材が前記ビーズの進行方向後側に近接して設けられ、前記保持部材は前記ワイヤーロープに対してかしめられて固定されていることを特徴とするワイヤーソー。
【請求項８】
前記ビーズの後端部の少なくとも一部分と、前記ビーズの後側に設けられた前記保持部材の前端部の少なくとも一部分とは直接接しているか、あるいは前記ビーズの後端部と前記保持部材の前端部との間の距離は２ｍｍ以下で、その間の部分には被覆部材が充填されていることを特徴とする請求項７に記載のワイヤーソー。
【発明の詳細な説明】
【技術分野】
【０００１】
本発明は、石材やコンクリートなどを切断するためのワイヤーソーに関し、特に固定式の切断装置に使用するエンドレスタイプのワイヤーソーに関する。
【背景技術】
【０００２】
石材やコンクリートなどを切断する工具の一つとして、図６に示すようなワイヤーソーがある。このワイヤーソー１は、円筒状の台金４の外周に超砥粒層３が形成された多数のビーズ２をワイヤーロープ５に挿通し、間隔をおいてゴムや樹脂などの被覆部材６でワイヤーロープ５に固定した工具である。また、ワイヤーソー１を使用する切断装置としては、土木工事現場や石切り場などに持ち込んで使用する移動式の切断装置や工場内に固定して使用する固定式の切断装置がある。
【０００３】
移動式の切断装置の例として、図８に示すようにワイヤーソー１を懸けて回転させるプーリー２２およびこのプーリー２２を回転させる駆動部などが一体となった切断装置２１がある。この切断装置２１を使用する場合、被削材３０に穴を空け、この穴にワイヤーソー１を通して被削材３０に巻き付けた後、ワイヤーソー１を接続用ジョイントなどで接続し、エンドレスの状態にして切断装置２１のプーリー２２に懸け、切断装置２１を引っ張りながらワイヤーソー１に張力をかけた状態でプーリー２２を回転させて被削材３０を切断する。
【０００４】
また、固定式の切断装置の例として、図９に示すように工場などに２本の支柱２４を設置し、この支柱２４に上下動可能なプーリー２５および２６を取付け、これらのプーリー２５および２６にワイヤーソー１を懸けて使用する切断装置２３がある。このような装置２３では、支柱２４とプーリー２６とをつなぐように取り付けられたエアシリンダ２９などによりプーリー２６を引っ張ってワイヤーソー１に張力をかけ、その状態でプーリー２５を回転させる。被削材３０は、２つのプーリー２５および２６の間に設けられた台車上に設置しておき、張力をかけられたワイヤーソー１を走行させながらプーリー２５および２６を下降させていくことで、ワイヤーソー１が被削材３０と接触し、切断を開始する。このような装置２３に使用するワイヤーソー１は、最初からエンドレスの状態になっており、接続部はワイヤーロープを構成するストランドが編み込まれて、その上にビーズが通されゴムや樹脂などの被覆部材で覆われた構造になっている。このタイプのワイヤーソーは、引っ張りに対する強度が高く、上記の接続ジョイントを使用したタイプのワイヤーソーに比べ、接続部で破断するトラブルは大幅に少ない。固定式の切断装置では移動式の切断装置に比べて張力が大きく、しかもワイヤーソーの走行速度が高くて使用時間も長いため、接続ジョイントを使用したタイプのワイヤーソーを使用すると接続部でのトラブルが多く、接続部はワイヤーロープが編み込まれたタイプのものが使用されている。このように接続部のワイヤーロープを編み込んだワイヤーソーの例として、特許文献１に記載のワイヤーソーがある。
【０００５】
またこれとは別に、切断中にビーズにかかる負荷が原因でビーズがずれるトラブルを防止するワイヤーソーとして特許文献２に記載のワイヤーソーがある。このワイヤーソーは、図７に示すようにビーズ２間のワイヤーロープ５外周にコイルバネ７を設け、コイルバネ７の隙間や外周部に被覆部材６の一つであるゴムを設けてビーズ２およびコイルバネ７をワイヤーロープ５に固定したものである。
【特許文献１】実開平１−８４９１９号公報
【特許文献２】特開平９−２２５７３５号公報
【発明の開示】
【発明が解決しようとする課題】
【０００６】
上記の固定式の切断装置に使用するワイヤーソーでは、製造する際にエンドレスにするため接続部においてワイヤーロープを編み込む作業が必要になり、編み込む長さは引っ張り強度を高めるためにある程度の長さが必要で、編み込んだ部分にもビーズを設けることになる。そのためには、接続部付近に固定するビーズについてもワイヤーロープに予め通した状態で編み込み作業を行う必要がある。この編み込み作業を行う場合に、少なくとも接続部付近に固定されるべきビーズは、接続部に隣接する部分へ逃がしておいて編み込み作業を行うことになる。この場合、接続部に隣接するビーズを逃がす部分もビーズを固定していない状態としておく必要がある。図１０にこの概略を示す。図１０で、ワイヤーロープの端部５ａおよび５ｂの部分がお互いに編み込まれる部分すなわち接続部１０であり、それに隣接する部分がビーズ逃がし部１１である。ワイヤーロープ端部５ａおよび５ｂは重ね合わせるようにして編み込むが、その編み込みを行う際に、接続部１０に設けるビーズおよびビーズ逃がし部１１に設けるビーズをすべてビーズ逃がし部１１の部分に逃がしておく必要がある。
【０００７】
このような接続部を編み込んだワイヤーソーでも、切断中の抵抗やゴムの劣化・破壊、被削材への急激な引っかかりなどが原因でビーズがワイヤーロープに対してずれるトラブルが発生する問題があり、これを防止するためにビーズ間にコイルバネを入れることが考えられる。しかしながら、上記のようなワイヤーロープを編み込むタイプでは、ビーズ間にコイルバネを入れると図１１に示すように編み込み作業を行う際にビーズをずらすことができないため接続部に固定されるビーズを逃がす場所を設けることができず、編み込み作業を行うことができないという問題が発生する。編み込み作業を行う際にコイルバネを縮めてビーズを逃がす場所を設けることも考えられるが、多数のコイルバネを縮める力がすでに被覆部材を形成した部分に加わるため、被覆部材を形成した部分の端部に設けられたビーズがずれる恐れがある。また、被覆部材を全く形成していない状態であればコイルバネを縮める力を加えても前述のような問題は生じないが、編み込み部分でワイヤロープをお互いに編むための位置調節が難しく、編み込んだあとワイヤロープとビーズを金型に固定し被覆部材を金型内に注入して一定の長さごとに被覆部材を形成していった場合に、最後まで被覆されずに残った部分でビーズの間隔に狂いが生じ、金型にビーズを固定できない問題が生じる。
【０００８】
また、ビーズがずれることを防止するだけであれば、台金の長さを長くして被覆部材との接触面積を増やし、接合強度を向上させることが考えられるが、台金の部分ではワイヤーロープが曲がりにくく台金の長さを長くするとよりワイヤーロープが曲がりにくくなって、切断中の繰り返しの曲げにより破断しやすくなる。
【０００９】
さらに、切断中の振れを防止するなどの目的で、ワイヤーロープに対してビーズが偏芯しないように被覆部材で固定する必要がある。そのために、ワイヤーロープに張力をかけた状態で被覆部材を形成する場合があるが、上記の接続部を編み込んだワイヤーソーでは、ワイヤーロープに張力をかけると編み込んだワイヤーロープの端部同士がずれて抜けてしまうため、ワイヤーロープに張力をかけた状態では被覆部材を形成できない。従って、編み込みによる接続部はビーズがワイヤーロープに対して偏芯して固定されやすくなり、切断中にワイヤーソーが振れやすく、これが原因でビーズが不均一に摩耗する恐れもある。このようなことから、本発明は、接続部を編み込んだワイヤーソーでもビーズがずれるトラブルを防止でき、接続部のビーズがワイヤーロープに対して偏芯せず、切断中の振れが少ないワイヤーソーを提供するものである。
【課題を解決するための手段】
【００１０】
本発明のワイヤーソーの第１の特徴は、円筒状の台金の外周に超砥粒層が設けられた複数のビーズが、ワイヤーロープに挿通され、被覆部材にて前記ワイヤーロープに接合固定されたワイヤーソーであって、お互いに隣接するビーズの間のすべての部分にコイルバネが設けられ、前記ワイヤーソーの両端部は、前記ワイヤーロープを編み込んでエンドレスに接続されるとともに、前記ワイヤーロープを編み込んだ接続部にもビーズが被覆部材にて接合固定され、前記接続部を含むワイヤーソー全体または一部分にわたって設けられた前記コイルバネは、前記ビーズ間の距離よりも短い長さのコイルバネであり、前記ビーズの進行方向後側に近接して設けられていることである。
【００１１】
このように、ビーズ間に設けられたコイルバネのうち、接続部を含み接続部以外の部分のワイヤーソーの少なくとも一部分のコイルバネの長さをビーズ間の距離よりも短い長さとすることで、ワイヤーロープの端部同士を編み込んでエンドレスにする場合に、接続部に固定すべきビーズを接続部に隣接する部分に逃がすためのビーズ逃がし部を設けることができる。従って、ワイヤーソー全体にわたりすなわちすべてのビーズ間においてコイルバネを設けることが可能になり、接続部を編み込んだ引張強度の高いワイヤーソーでビーズの保持力が高いものとすることができ、接続部での破断やビーズのずれを防止することができる。なお、ワイヤーソーの走行中の振れに対するバランスの点からは、すべてのビーズ間のコイルバネをビーズ間の距離よりも短い長さでかつ同じ長さのものとするのが好ましい。
【００１２】
第２の特徴は、前記ビーズの後端部の少なくとも一部分と、前記ビーズの後側に設けられた前記コイルバネの前端部の少なくとも一部分とは直接接しているか、あるいは前記ビーズの後端部と前記コイルバネの前端部との間の距離は２ｍｍ以下でその間の部分には被覆部材が設けられていることである。
【００１３】
ビーズの後端部とコイルバネの前端部との間に被覆部材が大きく存在すると、ビーズにかかった抵抗をその被覆部材が受けることになり、コイルバネで受ける抵抗が小さくなるため、ビーズの保持力を向上させることがほとんどできないが、２ｍｍ以下とすることにより、ビーズにかかった抵抗をコイルバネで受けて保持することができるので、ビーズの固定強度が向上する。
【００１４】
第３の特徴は、前記コイルバネの長さは、前記ビーズ間の距離の３０〜７０％であることである。
【００１５】
このように、コイルバネの長さをビーズ間の距離の３０％以上とすることで、切断中にビーズにかかる抵抗でビーズがずれるのを防止でき、７０％以下とすることで、編み込み作業の際にビーズ逃がし部の長さが長くなりすぎず作業性が向上する。
【００１６】
第４の特徴は、前記コイルバネの進行方向後側の前記被覆部材には、第１の凹部が形成されていることである。
【００１７】
被覆部材を形成する場合、ビーズを挿通したワイヤーロープを金型に入れた状態で被覆材料を金型内に流し込んで成形を行うが、コイルバネがビーズ間の距離より短いため、被覆材料を流し込む圧力によりコイルバネがずれる可能性がある。そのため、金型に突起を設けてコイルバネが引っかかるようにしておくことで、コイルバネがずれるのを防止することができ、コイルバネの走行方向前側にあるビーズを保持してずれるのを防止することができる。そして、この金型の突起の部分により、被覆部材に第１の凹部が形成される。また、コイルバネのすぐ後側に第１の凹部が形成されていると、この部分でワイヤーロープが曲がりやすくなる。本発明のワイヤーソーのように、ビーズ間の一部分にコイルバネを入れると、コイルバネのある部分ではワイヤーロープが曲がりにくく、その曲がりにくい分がコイルバネのない部分を余計に曲げようとするため、コイルバネのない部分の被覆部材が傷みやすくなる。しかし、上記の第１の凹部があることでコイルバネのある部分の曲がりにくい分を第１の凹部で吸収することができ、コイルバネのない部分の被覆部材の傷みを抑えることができる。
【００１８】
第５の特徴は、前記コイルバネの外周側の被覆部材には、周方向において断続的に形成された第２の凹部を有することである。
【００１９】
第２の凹部は、被覆部材成形用の金型に突起が設けられており、その突起が被覆部材側では第２の凹部として形成されている。金型に設けられた突起は、被覆部材を成形する際にコイルバネを直径方向に僅かに加圧してコイルバネの内面とワイヤーロープが接する状態にして成形する役割を果たし、ワイヤーロープやコイルバネが偏芯した状態で被覆部材が形成されるのを防止することができる。また、このような第２の凹部がビーズの後側に設けられているので、切屑の排出性が向上し、切味不良や被覆部材の摩耗を抑えることができる。
【００２０】
第６の特徴は、前記第２の凹部は、ワイヤーソーの回転方向と略平行に細長く伸びる形状であることである。
【００２１】
第２の凹部をこのような形状とすることで、被覆部材を成形する際にコイルバネを確実に保持して加圧することができ、しかも切断中の切屑の排出性が向上する。
【００２２】
本発明のワイヤーソーの別の特徴として、円筒状の台金の外周に超砥粒層が設けられた複数のビーズが、ワイヤーロープに挿通され、被覆部材にて前記ワイヤーロープに接合固定されたワイヤーソーであって、前記ワイヤーソーの両端部は、前記ワイヤーロープを編み込んでエンドレスに接続されるとともに、前記ワイヤーロープを編み込んだ接続部にもビーズが被覆部材にて接合固定され、前記接続部を含むワイヤーソー全体にわたり、ビーズ間には前記ビーズ間の距離よりも短くかつ前記ワイヤーロープの直径以下の長さの保持部材が前記ビーズの進行方向後側に近接して設けられ、前記保持部材は前記ワイヤーロープに対してかしめられて固定されていることである。
【００２３】
このように、ビーズの走行方向の後側にビーズ間の距離よりも短くかつワイヤーロープの直径以下の長さの保持部材をビーズに近接して設けることで、ワイヤーロープの端部同士を編み込んでエンドレスにする場合に、接続部に固定すべきビーズを接続部に隣接する部分に逃がすためのビーズ逃がし部を設けることができるので、ワイヤーソー全体にわたって保持部材を設けることが可能になり、接続部を編み込んだワイヤーソーでも切断中の抵抗によりビーズがずれるのを防止することができる。また、保持部材の長さをワイヤーロープの直径以下とすることで、ワイヤーロープは繰り返しの曲げにも強くなり、破断する恐れが大幅に小さくできる。さらに、保持部材はワイヤーロープに対してかしめられて固定されているので、ビーズを保持する力が大きくなり、しかも接続部では編み込んだワイヤーロープを固定し、編み込みがほどけにくくなるので、切断中にワイヤーロープにかかる張力に対しても強くなる。
【００２４】
この別の特徴を有するワイヤーソーの第２の特徴として、前記ビーズの後端部の少なくとも一部分と、前記ビーズの後側に設けられた前記保持部材の前端部の少なくとも一部分とは直接接しているか、あるいは前記ビーズの後端部と前記保持部材の前端部との間の距離は２ｍｍ以下で、その間の部分には被覆部材が充填されていることである。
【００２５】
ビーズの後端部と保持部材の前端部との間に被覆部材が大きく存在すると、ビーズにかかった抵抗をその被覆部材が受けることになり、保持部材で受ける抵抗が小さくなるため、ビーズの保持力を向上させることがほとんどできないが、２ｍｍ以下とすることにより、ビーズにかかった抵抗を保持部材で受けて保持することができるので、ビーズの固定強度が向上する。
【発明の効果】
【００２６】
切断中にビーズに抵抗がかかってもビーズ後側のコイルバネまたは保持部材によりビーズを保持できるので、切断中のビーズのずれを防止でき、しかも接続部はワイヤーロープを編み込んでいるので、引っ張り強度が高く、繰り返しの曲げにも強くなる。また、ワイヤーロープが編み込まれた接続部のワイヤーロープの偏芯も防止できるので、ワイヤーソー全体にわたってビーズとワイヤーロープが偏芯するのを防止できて切断中の振れが大幅に減少する。さらに、コイルバネが設けられたタイプのものでは、コイルバネ後側の被覆部材に第１の凹部を設けることで、切断時にワイヤーロープが第１の凹部で曲がるので、ビーズ端面やコイルバネを設けた部分の曲げ応力が分散されて、ワイヤーロープが破断しにくくなり、コイルバネの外周側の被覆部材に設けられた第２の凹部と相まって切屑の排出性が向上する。
【発明を実施するための最良の形態】
【００２７】
本発明のワイヤーソーの例を図面を元に説明する。図１は本発明のワイヤーソーの一実施の形態を示したものであり、円筒状の台金４の外周に超砥粒層３が形成された多数のビーズ２およびコイルバネ７がワイヤーロープ５に挿通され、ビーズ２は一定の間隔をおいてゴムや樹脂などの被覆部材６のみによりワイヤーロープ５に固定されている。コイルバネ７の長さＡは、ビーズ間の距離Ｂよりも短くなっており、コイルバネ７はビーズ２のすぐ後に設けられていて、コイルバネ７の前端部の一部とビーズ２の後端部の一部とは接しており、切断時にビーズ２に抵抗がかかってもコイルバネ７と被覆部材６の固定強度により保持できるようになっている。また、図４に示すようにコイルバネ７の前端部とビーズ２の後端部とは近接しているが接することなく両者の間には長さＣが２ｍｍ以下の被覆部材が形成されていても良い。なお、図１に示すように、ビーズ間の距離Ｂは隣り合うビーズ２がビーズ２の軸方向に最も突出している部分同士の間隔であり、図１に示したワイヤーソーの場合、台金４がビーズ２の軸方向に最も突出しているので、台金４間の長さがビーズ間の距離Ｂとなる。ビーズ２およびコイルバネ７が被覆部材６と接合され、被覆部材６がワイヤーロープ５と接合されることで、ワイヤーロープ５にビーズ２とコイルバネ７が固定されている。また、図示はしていないが、ワイヤーソー１の端部のワイヤーロープ５ａおよび５ｂは編み込まれて接続されており、その接続部１０にも接続部１０以外の部分と同様にビーズ２が設けられ、すべてのビーズ間にビーズ間の距離Ｂよりも短いコイルバネ７が設けられている。
【００２８】
図２は本発明のワイヤーソーの別の実施の形態を示したものである。ビーズ２やコイルバネ７は上記の例と同じであるが、被覆部材６に第１の凹部８が形成されている。この第１の凹部８はワイヤーソー１の走行方向においてコイルバネ７のすぐ後側に形成されており、被覆部材６の成形の際に成形金型に設けられた突起により形成されるものである。被覆部材６の成形時には、この成形金型の突起によりコイルバネ７がビーズ２と突起の間に保持されているので、被覆材料を金型内に注入してもコイルバネ７がずれることはなく、所定の位置に固定される。また、この第１の凹部８はワイヤーソー１の使用時に、ワイヤーソー１が曲がりやすくなる効果があり、ビーズ２やコイルバネ７が設けられている部分の曲がりにくい状態を補完することができる。
【００２９】
図３は本発明のワイヤーソーのさらに別の実施の形態を示したものである。ビーズ２やコイルバネ７、第１の凹部８の構造は上記の例と同じであるが、コイルバネ７の外周側の被覆部材には、ワイヤーソー１の周方向には断続し長さ方向には細長く伸びる第２の凹部９が設けられている。この第２の凹部９も被覆部材６の成形の際に成形金型に設けられた突起により形成される。この突起の大きさを適当な大きさとすることで、被覆部材６の成形時に、コイルバネ７はこの突起により僅かに加圧されて直径が小さくなり、その直径が小さくなったコイルバネ７がワイヤーロープ５を保持する。この状態で被覆部材６が成形されるので、ワイヤーロープ５に対してコイルバネ７やビーズ２が偏芯した状態で固定されるのを防止できる。なお、被覆部材６が成形された後、ワイヤーソー１を成形金型から取り出すと、コイルバネ７は金型の突起の加圧から解放され、コイルバネ７とワイヤーロープ５は接していない状態になる。ワイヤーロープ５が編み込まれた接続部１０に被覆部材６を成形する場合に、ワイヤーロープ５に張力をかけた状態で被覆部材６を成形することはできないため、上記の方法が特に有効であり、ワイヤーロープ５に対してコイルバネ７やビーズ２が偏芯した状態で固定されるのを防止できる。また、この第２の凹部９はワイヤーソー１の使用時に、切屑の排出性を向上させる効果があり、被覆部材６の摩耗を抑制することができる。
【００３０】
図５は本発明のワイヤーソーのさらに別の実施の形態を示したものである。ビーズ２や第１の凹部８、第２の凹部９の構造は上記の例と同じであるが、コイルバネ７の代わりに保持部材１２が設けられ、保持部材１２は機械的にかしめられてワイヤーロープ５に固定されている。また、ビーズ２の台金４の後端部と保持部材１２の前端部との間には距離Ｃの隙間が形成され、この部分には被覆部材６が設けられている。この距離Ｃは２ｍｍ以下となっており、保持部材１２の長さＤはワイヤーロープ５の直径以下となっている。
【実施例１】
【００３１】
ビーズの固定強度を比較するため、本発明の構造のワイヤーソーおよび従来の構造のワイヤーソーの試験サンプルを製作し、ビーズの引き抜き強度試験を行った。本発明のワイヤーソーとして、図３、図４および図５に示す構造のワイヤーソーを製作した。共通の仕様として、ビーズ２の長さは１０ｍｍ、ビーズ２のピッチＰは４０ｍｍであり、ビーズ２間の距離Ｂは３０ｍｍである。これに図３に示すように台金４の後端部とコイルバネ７の前端部が接した構造のもので、コイルバネ７の長さＡが９ｍｍ（ビーズ２間距離Ｂの３０％のもの：以下、本発明１とする）、２１ｍｍ（ビーズ２間距離Ｂの７０％のもの：以下、本発明２とする）の２種類のワイヤーソーを製作した。また、図４に示すように台金４の後端部とコイルバネ７の前端部の間に被覆部材６が設けられた構造のもので、コイルバネ７の長さＡが２１ｍｍであり、台金４とコイルバネ７との間に設けられた被覆部材６の長さＣが１ｍｍのもの（以下、本発明３とする）、長さＣが２ｍｍのもの（以下、本発明４とする）、長さＣが３ｍｍのもの（以下、本発明５とする）を製作した。さらに図５に示すようにコイルバネ７は設けずに保持部材１２を設けてワイヤーロープ５にかしめて固定し、台金４の後端部と保持部材１２の前端部との間に被覆部材６が設けられた構造のもので、保持部材１２の長さＤが４ｍｍであり、台金４と保持部材１２との間に設けられた被覆部材６の長さＣが１ｍｍのもの（以下、本発明６とする）を製作した。また比較例として、図６に示すようなコイルバネ７のないワイヤーソー（比較例１）および図７に示すようなビーズ２間の距離Ｂ全体にわたりコイルバネ７が設けられたワイヤーソー（比較例２）を製作した。何れのワイヤーソーもビーズの引き抜き強度試験を行うため、ワイヤーソーをエンドレスの状態にはせず、ワイヤーロープの端部は引き抜き試験装置に固定するためにワイヤーロープが露出している構造とした。
【００３２】
これらのワイヤーソーを万能試験機に取り付け、引き抜き強度試験を行った。試験の方法は、万能試験機の２つの固定用チャックのうちの一方にビーズを固定し、もう一方のチャックにワイヤーロープを固定した状態でワイヤーロープを固定したチャックに引っ張り荷重をかけていき、ワイヤーロープがビーズに対して動き始める時点での荷重をビーズの固定強度として測定した。なお、本発明のワイヤーソーは、ワイヤーロープを引っ張る方向においてビーズのすぐ後側にコイルバネや保持部材が存在するように向きを決めて試験を行った。
【００３３】
以上の方法により各ワイヤーソーについて５回ずつ試験を行った結果、従来品の一般的なワイヤーソーである比較例１に対し、本発明１は平均で３５％強度が向上し、本発明２は４４％強度が向上した。また、本発明３は平均で４２％向上し、本発明４は平均で４１％向上したが、本発明５は平均で３２％強度が向上したにとどまり、台金４とコイルバネ７との間に設けられた被覆部材６の長さがビーズ２の固定強度に少し影響することがわかる。本発明６は、平均で４３％向上し、コイルバネ７を入れたものと同じレベルの固定強度を有することがわかる。比較例２も強度は５０％向上し、コイルバネ７のないワイヤーソーに比べて強度が向上するのは明らかであったが、接続部でワイヤーロープを編み込めないという問題があり、その結果生じる不具合は下記実施例２に示す通りである。
【実施例２】
【００３４】
次にエンドレスのワイヤーソーを製作して、被削材の切断を行い、性能試験を行った。本発明のワイヤーソーとして、図３および図５に示す構造のワイヤーソー３種類を製作した。いずれのワイヤーソーもビーズ２の長さは１０ｍｍ、ビーズ２のピッチＰは４０ｍｍであり、ビーズ２間の距離Ｂは３０ｍｍである。これに図３に示す構造でコイルバネ７の長さＡが９ｍｍ（ビーズ２間距離Ｂの３０％のもの：以下、本発明７とする）および２１ｍｍ（ビーズ２間距離Ｂの７０％のもの：以下、本発明８とする）のものと、図５に示す構造で保持部材１２の長さＤが４ｍｍ、台金４と保持部材１２との間の距離Ｃが１ｍｍのもの（以下、本発明９）の計３種類のワイヤーソーを製作した。接続部はワイヤーロープ５を編み込んでおり、この部分も他の部分と同様にビーズ２およびコイルバネ７または保持部材１２を設けた。また比較例として、図６に示すコイルバネ７のないワイヤーソー（比較例３）および図７に示すビーズ２間の距離Ｂ全体にわたりコイルバネ７が設けられたワイヤーソー（比較例４）を製作した。比較例３および４は本発明のワイヤーソーと同様に接続部はワイヤーロープ５を編み込んでいるが、比較例４については、接続部の編み込みを行うために接続部およびビーズ逃がし部についてはコイルバネ７を設けないものとした。
【００３５】
以上の５種類のワイヤーソーを図９に示す切断機に取り付け、切断時にビーズが鉄筋や被削材の角に引っかかってずれが発生しやすい被削材であるヒューム管（遠心力鉄筋コンクリート管）の切断試験を行った。ワイヤーソーの全長は２０ｍ、ワイヤーソーの走行速度は３０ｍ／ｓ、プーリーの下降速度は１５ｍｍ／ｍｉｎとし、被削材の種類は遠心力鉄筋コンクリート管のＢ型で呼び径１８００（外径２０６４ｍｍ、内径１８００ｍｍの円筒状で切断面一面あたり０．８ｍ２）のものを使用し、切断を行った。
【００３６】
以上の条件で切断を行った結果、１６ｍ２（２０面）を切断した時点でのワイヤーソーの状態を観察すると、本発明７、８、９はいずれもビーズのずれは発生せず、切断中の振れも少なかったのに対し、比較例３では１６ヶのビーズにずれが発生し、一部でワイヤーロープが露出しており、比較例４では接続部のビーズのうち５ヶがずれており、うち２ヶに割れが生じていた。また比較例３および４は使用初期から切断中に振れが発生し、特に比較例４は局部的に不安定な振れが生じて、ビーズが被削材に対して叩き付けられるような衝撃が生じていた。さらに、比較例３および４は、被覆部材の傷みも酷く、部分的に摩耗が酷い部分が見られた。
【００３７】
以上、実施例において説明したように、本発明のワイヤーソーは接続部を編み込んだワイヤーソーであっても、ビーズのずれが発生しにくく、切断中の振れも生じにくい。そして、切断中にビーズに抵抗がかかってもビーズ後側のコイルバネや保持部材によりビーズを保持できるので、切断中のビーズのずれを防止でき、しかも接続部はワイヤーロープを編み込んでいるので、引っ張り強度が高く、繰り返しの曲げにも強くなる。また、編み込み部分のワイヤーロープの偏芯も防止できるので、ワイヤーソー全体にわたってビーズとワイヤーロープが偏芯するのを防止できて切断中の振れが大幅に減少する。さらに、コイルバネ後側の被覆部材に凹部を設けることで、切断時にワイヤーロープが凹部で曲がるので、ビーズ端面やコイルバネを設けた部分の曲げ応力が分散されて、ワイヤーロープが破断しにくくなり、コイルバネの外周側の被覆部材に設けられた凹部と相まって切屑の排出性が向上する。
【産業上の利用可能性】
【００３８】
本発明のワイヤーソーは、接続部を編み込んだワイヤーソーに利用すれば効果が大きいが、接続部を編み込まず接続用ジョイントなどで接続するタイプのワイヤーソーにも利用することができる。
【図面の簡単な説明】
【００３９】
【図１】本発明のワイヤーソーの一実施の形態を示す図である。
【図２】本発明のワイヤーソーの別の実施の形態を示す図である。
【図３】本発明のワイヤーソーのさらに別の実施の形態を示す図である。
【図４】本発明のワイヤーソーのさらに別の実施の形態を示す図である。
【図５】本発明のワイヤーソーのさらに別の実施の形態を示す図である。
【図６】従来のワイヤーソーの例を示す図である。
【図７】従来のワイヤーソーの別の例を示す図である。
【図８】移動式の切断装置による切断状況を示す図である。
【図９】固定式の切断装置による切断状況を示す図である。
【図１０】従来のワイヤーソーの接続部の編み込み作業の状況を示す図である。
【図１１】従来のコイルバネを有するワイヤーソーを編み込もうとした場合の状況を示す図である。
【符号の説明】
【００４０】
１    ワイヤーソー
２    ビーズ
３    超砥粒層
４    台金
５    ワイヤーロープ
６    被覆部材
７    コイルバネ
８    第１の凹部
９    第２の凹部
１０  接続部
１１  ビーズ逃がし部
１２  保持部材
２１  移動式切断装置
２２  プーリー
２３  固定式切断装置
２４  支柱
２５  プーリー
２６  プーリー
２７  モーター
２８  被削材載置用台車
２９  エアシリンダ
３０  被削材
【図１】
2006346851.tif 000003
【図２】
2006346851.tif 000004
【図３】
2006346851.tif 000005
【図４】
2006346851.tif 000006
【図５】
2006346851.tif 000007
【図６】
2006346851.tif 000008
【図７】
2006346851.tif 000009
【図８】
2006346851.tif 000010
【図９】
2006346851.tif 000011
【図１０】
2006346851.tif 000012
【図１１】
2006346851.tif 000013